(57)【要約】      （修正有）【課題】  蓋体が摺動操作により開閉される態様においても、係合部材を蓋体により接近して付設できるようにしたり、使い勝手をより向上することにある。【解決手段】  蓋体６に枢止された係合部材１を、本体５の係止部５ａに係止して蓋体６の動きを規制する係止位置から、蓋体６の開方向への動きを許容する解除位置に回動切り換えるロック機構であり、係合部材１は蓋体の裏面側に回動可能に枢止されると共に、前側に設けられた爪部１１と、後側に設けられた連結部１２と、連結部１２に連結されるスライダー２とを有し、スライダー２は蓋体の裏面前後方向に摺動されると共に、連結部１２に作動連結する係合部及び、蓋体６の窓部１６から蓋体の表面側に配置される釦部２２とを形成しており、釦部２２を介して押圧操作されると、係合部材６をばね部材３の付勢力に抗し、かつ、連結部１２と係合部との作動連結を介して解除位置方向へ回動する。【選択図】図５
2006138155.tif 000002
【特許請求の範囲】
【請求項１】
本体側開口を開閉する蓋体に枢止された係合部材を有し、該係合部材を、前記本体の係止部に係止して蓋体の動きを規制する係止位置から、付勢力に抗した押圧操作により前記係止を解除して蓋体の開方向への動きを許容する解除位置に回動切り換えるロック機構において、
前記係合部材が、蓋体の裏面側に軸部等を介して回動可能に枢止されると共に、前記軸部より前側に設けられて前記本体の係止部に係脱する爪部と、前記軸部より後側に設けられた連結部と、前記連結部に連結されるスライダーとを有し、
前記スライダーが、前記蓋体の裏面前後方向に摺動されると共に、前記連結部に作動連結する係合部及び、前記蓋体に設けられた窓部から前記蓋体の表面側に配置される釦部とを形成しており、
前記釦部を介して押圧操作されると、前記係合部材をばね部材の付勢力に抗し、かつ、前記連結部と前記係合部との作動連結を介して解除位置方向へ回動することを特徴とするロック機構。
【請求項２】
前記スライダーが、側面に突設した軸部を、前記蓋体の裏面側に設けられたガイド穴に嵌合した状態で摺動案内される請求項１に記載のロック機構。
【請求項３】
前記蓋体が、摺動操作により前記本体の開口を開閉すると共に、凹所を有し、該凹所を区画している壁部分に前記窓部を形成し、かつ前記本体の開口を開くため前記蓋体を押圧する方向と、前記係合部材を解除位置に切り換えるため前記釦部を押圧する方向とを同じに設定されている請求項１又は２に記載のロック装置。
【請求項４】
前記連結部が突片に形成され、前記係合部が前記突片と作動連動可能な逆凹部又は孔部に形成されている請求項１から３の何れかに記載のロック機構。
【発明の詳細な説明】
【技術分野】
【０００１】
本発明は、本体に対し蓋体を閉状態で係止するロック機構のうち、特に釦部の押圧操作により係止解除するロック機構に関するものである。
【背景技術】
【０００２】
図６は蓋体６１が本体６０に対し開状態と閉状態に回動切り換えられるタイプに採用されるロック機構を示している。このロック機構は、特許文献１に開示されているもので、係合部材５０が操作用釦部（レバー）５０ａ及び爪部５０ｂを有し、蓋体（文献１ではディスプレイ部）６１に対し回動可能に枢止され、爪部５０ｂが本体６１の対応部６２に係止して蓋体６０の動きを規制する係止位置から、釦部５０ａをスプリング５１の付勢力に抗し回動することにより、蓋体６０の開方向へ動きを許容する解除位置に切り換える。これに対し、図７は蓋体６６が本体６５に対し開状態と閉状態に摺動切り換えられるタイプに採用されるロック機構を示している。このロック機構は、図６のものと基本的に同じであり、係合部材５５が釦部５５ａ及び爪部５５ｂを有し、蓋体６６に対し軸５６を介し回動可能に枢止されて、釦部５５ａをスプリング５７の付勢力に抗し矢印方向へ押圧操作することにより、爪部５５ｂが本体６５の対応部６８に係止して蓋体６６の動きを規制する係止位置から、蓋体６６の開方向へ動きを許容する解除位置に切り換える。また、図７の場合は、蓋体６６が前側に凹所６７を有し、凹所６７を区画している壁部分に窓部６７ａを形成している。そして、釦部５５ａは、窓部６７ａに露出配置され、下向き又は斜め下向きに押圧されることで爪部５５ｂを解除位置に回動切り換える。
【０００３】
【特許文献１】実開平５−３６０９号公報
【発明の開示】
【発明が解決しようとする課題】
【０００４】
上記したようなロック機構は、簡易ではあるが、次のような問題を有している。
第１に、図７のロック機構では、係合部材５５が釦部５５ａ及び爪部５５ｂを両端に形成し、途中部分が蓋体６６の内側対応部に対して軸５６を介し枢止されているため、軸５６及び該軸に枢止されている前後部分を蓋体の内面から下側へ大きく離間しなくてはならず、それに伴って本体６５の実容積が小さくなるため係合部材５５のうち、軸５６及び該軸に枢止されている前後部分を蓋体６６の内側に接近させて本体内をより有効活用できるようにしたい。
第２に、蓋体を摺動して開閉する態様では、例えば、図７の蓋部６６を開状態にするときに、釦部５５ａを押圧して爪部５５ｂを解除位置に切り換えてから、蓋部６６を釦部５５ａの押す方向と交差する方向へ押圧操作しなければならないため操作性が悪い。つまり、蓋体６６を摺動する態様であっても、図６と同様に釦部５５ａを蓋体６６の開方向と同方向に押圧して爪部５５ｂの係止を解除できるようにし、使い勝手を向上したい。
【０００５】
そこで、本発明の目的は、上記した問題を一掃して、例えば、蓋体が摺動操作により開閉される態様においても、係合部材を蓋体により接近して付設できるようにしたり、使い勝手をより向上することにある。
【課題を解決するための手段】
【０００６】
上記目的を達成するため本発明は、本体側開口を開閉する蓋体に枢止された係合部材を有し、該係合部材を、前記本体の対応部に係止して蓋体の動きを規制する係止位置から、付勢力に抗した押圧操作により前記係止を解除して蓋体の開方向への動きを許容する解除位置に回動切り換えるロック機構において、前記係合部材が、蓋体の裏面側に軸部等を介して回動可能に枢止されると共に、前記軸部より前側に設けられて前記本体の係止部に係脱する爪部と、前記軸部より後側に設けられた連結部と、前記連結部に連結されるスライダーとを有し、前記スライダーが、前記蓋体の裏面前後方向に摺動されると共に、前記連結部に作動連結する係合部及び、前記蓋体に設けられた窓部から前記蓋体の表面側に配置される釦部とを形成しており、前記釦部を介して押圧操作されると、前記係合部材をばね部材の付勢力に抗し、かつ、前記連結部と前記係合部との作動連結を介して解除位置方向へ回動することを特徴としている。
【０００７】
以上のロック機構は、蓋体が本体側開口に対し摺動して開閉される態様に好適なものであるが、蓋体が回動して開閉される態様でも使用可能である。工夫点は、特に、図７の従来構造に比べて、係合部材から釦部側を分離してスライダーに形成することにより、課題に挙げた問題を解消して、係合部材及びスライダー共に蓋体の裏面又は内面に接近配置可能にしたことにある。
【０００８】
また、本発明のロック機構は、前記スライダーが側面に突設した軸部を、前記蓋体の裏面側に設けられたガイド穴に嵌合した状態で摺動案内されること（請求項２）、前記蓋体が摺動操作により前記本体の開口を開閉すると共に、凹所を有し、該凹所を区画している壁部分に前記窓部を形成し、かつ前記本体の開口を開くため前記蓋体を押圧する方向と、前記係合部材を解除位置に切り換えるため前記釦部を押圧する方向とを同じに設定されていること（請求項３）、前記連結部が突片に形成され、前記係合部が前記突片と作動連動可能な逆凹部又は孔部に形成されていること（請求項４）が好ましい。
【発明の効果】
【０００９】
以上の本発明に係るロック機構にあっては次のような利点を具備できる。
・請求項１の発明では、従来の係合部材から釦部側を分離してスライダーに形成することにより、課題に挙げた第１の問題を解消して、係合部材及びスライダー共に蓋体の裏面又は内面に接近配置可能にし、それにより、本体内の実容積がロック機構の存在で小さくなる度合いを軽減し、本体内をより有効に活用できるようにする。
・請求項２の発明では、スライダーが蓋体に対し軸部とガイド穴との案内作用により良好に摺動され、この結果、ロック機構としては安定した切換作動が維持される。
・請求項３の発明では、例えば、課題に挙げた第２の問題を解消して、爪部を係止解除するため釦部を押圧する方向と、蓋体を開方向へ押圧する方向とが同じことから操作性に優れ、使い勝手を向上できる。
・請求項４の発明では、係合部材とスライダーとを簡易な構成により作動連結できる。
【発明を実施するための最良の形態】
【００１０】
本発明の最良の実施形態について図面を参照して説明する。この説明では、構造、組立、作動の順で詳述する。
【００１１】
（構造）この形態は、本発明を図１に示したように、自動車の車室内にあって中央トンネル部４０に設けられた小物入れ（以下、本体という）５を開閉する蓋体６に適用した例である。即ち、中央トンネル部４０は、フロアから比較的高く立ち上げられており、前側（インストルメントパネル側）に設けられたシフトレバーやチェンジレバー等の操作部４１と、後側に設けられたセンタコンソール４２との間を形成している箇所に埋設された本体５を備えている。この本体５は、図５に示されるように、上側が開口されており、上両側に不図示の蓋用ガイド溝が形成されていると共に、上前内側に設けられた係止部５ａを有し、摺動式の蓋体６によって開閉される。
【００１２】
蓋体６は、前側の上面に凹所１５を有し、該凹所１５の内周囲を区画している壁部分１５ａのうち、後側壁部分に設けられた窓部１６と、前側の裏面にそれぞれ設けられた対の突片部１７および対のブラケット部１８と、係止片部１９とを有している。なお、蓋体６は、両側が上記した本体５側のガイド溝に対応した嵌合部６ａに形成され、裏面側が後述する係合部材１及びスライダー２を配置する箇所を除いて多数の補強用リブ６ｂを突出している。ここで、凹部１５は、図２と図３及び図５に示されるように略矩形窪みに形成されている。窓部１６は、凹部１５の底面から凹部の後側内周面を略矩形に開口し、蓋体の表裏を連通している。各突片部１７は、ブラケット部１８より前側に位置し、軸孔１７ａを左右対称に形成している。各ブラケット部１８は、各突片部同士より大きく離間しており、前後に長いガイド穴１８ａを左右対称に形成している。係止片部１９は、ブラケット部１８より若干後側で、左右のブラケット部の間に位置しており、後述するばね部材３の対応端を係止するための不図示の軸部を有している。そして、以上の蓋体６は、本体５に対し前記ガイド溝に沿って前後に摺動されると共に、ロック機構４により本体５の係止部５ａに係脱される。
【００１３】
ロック機構４は、蓋体６の裏面側に軸部１０を介して枢止された係合部材１と、係合部材１に作動連結しているスライダー２と、係合部材１を付勢するばね部材３とから構成されている。なお、係合部材１及びスライダー２は樹脂成形品であるが、樹脂以外であってもよい。
【００１４】
係合部材１は、図４に示されるように、概略フック状をなし、フック状の後両側に突設されている軸部１０と、軸部１０より前側に設けられている爪部１１と、枢軸１０より若干後側で上向きに突設されている連結用突片１２とを一体に有している。各軸部１０は、径大軸部の端面に設けられ、前記した対応する突片部１７の軸孔１７ａに嵌合されることで、係合部材１を蓋体６に対し回動可能に枢止する。爪部１１は本体５の係止部５ａに係脱される。突片１２は、スライダー２側に作動連結される。なお、この突片１２は、係合部材１の後端面を形成し、該後端面にばね部材６の一端を支持する不図示の軸部を突出している。
【００１５】
スライダー２は、略平板状の本体２０と、本体２０の前側に突設された係合部２１と、本体２０の上面後側に立設されている釦部２２とを一体に有している。本体２０は、下両側及び後側を除いて欠肉されて一段低い段差２３に形成されていると共に、略中央部に矩形の貫通孔２０ａを形成し、かつ両側面に前記した蓋体側のガイド穴１８ａに摺動自在に嵌合する軸部２４を形成している。段差２３にはばね部材３が配置される。貫通孔２０ａは、蓋体６の係止片部１９が余裕を持って収まる大きさになっている。係合部２１は、略矩形の孔部２１ａを形成していると共に、上面が本体２０と連続し、下面が段差２３と連続している。釦部２２は、略逆Ｌ形に形成されており、水平状態となった先端側が前記した蓋体６の窓部１６を通って凹所１５内に露出配置される。なお、孔部２１ａは、突片１２と作動連結可能であれば、例えば逆凹部に形成しても差し支えない。
【００１６】
ばね部材３は、コイルばねであり、係合部材１の突片１２の後端面と蓋体６の係止片部１９との間に配設されていて、係合部材１を係止位置で不用意に動かないよう保持し、かつ、係合部材１が係止位置から係止解除方向へ回動される過程で付勢力を増大し、釦部２２への押圧力を解放したときに再び係止位置へ回動復帰可能にする。但し、ばね部材３は板ばねなどで構成してもよい。
【００１７】
（組立）以上の各部材は蓋体６に次のような要領にて組み立てられる。まず、スライダー２は、蓋体６に対し釦部２２が窓部１６から凹所１５内に配置されると共に、両側の軸部２４がブラケット部１８のガイド穴１８ａに摺動自在に嵌合される。この状態では、蓋体６の係止片部１９がスライダー本体２０の貫通孔２０ａに挿入されている。次に、係合部材１は、突片１２が係合部２１の孔部２１ａに挿入された後、軸部１０が突片部１７の軸孔１７ａに嵌合されることで、突片１２と孔部２１ａとの作動連結状態を維持した状態で蓋体６に対し回動可能に枢止される。最後に、ばね部材３は、一端側が突片１２の後端面（の軸部）に係止され、他端側が係止片部１９の前端面（の軸部）に係止される。
【００１８】
（作動）次に、ロック機構４の作動を図５を参照しながら詳述する。ここで、図５（ａ）は図２と同じく蓋体６の閉状態（ロック機構４の係止位置）を示す模式断面図、図５（ｂ）は釦部２２を押圧操作してロック機構４が係止位置から解除位置に切り換えられた直前状態を示す模式断面図である。即ち、以上のロック機構４は、上述したように蓋体６への取り付けと同時に組み立てられ、組立状態で係合部材１が爪部１１を略水平に突出し、係止部５ａに係止可能な係止位置になっている。そして、蓋体６は、開状態から閉方向へ摺動されると、係合部材１の爪部１１が係止部５ａと当接した後、更に閉方向へ押されると係合部材１が係止部５ａから受ける応力により時計回り、つまりばね部材３の付勢力を増大しながら係止部５ａを乗り上げる方向へ回動し、爪部１１が係止部５ａを完全に通り過ぎたとき図５（ａ）のごとく初期状態に復帰して係止部５ａに係止し、それにより蓋体６の開方向への摺動が規制される。
【００１９】
また、このロック機構４は、蓋体６の摺動を許容する係止解除位置に切り換える場合、前記係止位置において、凹所１５の釦部２２を指先などで図５（ｂ）の矢印方向に押圧操作する。すると、スライダー２は、釦部２２の移動量だけ後方へ摺動される。同時に、係合部材１は、突片１２と孔部２１ａとの作動連結によりスライダー２の摺動と同方向へ引っ張られ、該引き力によって軸部１０を支点として時計回り、つまりばね部材３の付勢力を増大しながら係止部５ａを乗り上げる方向へ回動され同図の係止解除位置に切り換えられる。また、この構造では、爪部１１を係止解除するため釦部２２を押圧する方向と、蓋体６を開方向へ押圧する方向とが同じことから、係止解除と同時に蓋体６を開方向へ摺動でき、それにより使い勝手を向上できる。
【００２０】
なお、以上の形態例は本発明を何ら制約するものではない。本発明のロック機構は、請求項１で特定される技術要素を備えておればよく、細部は必要に応じて種々変更可能なものである。
【図面の簡単な説明】
【００２１】
【図１】本発明のロック機構を適用した一例を示す概略外観図である。
【図２】図１のＡ部拡大図である。
【図３】図２の蓋体を裏面側より見た図である。
【図４】図１のロック機構を模式的に示す構成図である。
【図５】図２のＢ−Ｂ線に沿って断面した要部拡大断面図である。
【図６】従来のロック機構を示す説明図である。
【図７】従来の他のロック機構を示す説明図である。
【符号の説明】
【００２２】
１…係合部材（１０は軸部、１１は爪部、１２は連結部又は突片）
２…スライダー（２０は本体、２１は係合部、２２は釦部）
３…ばね部材
４…ロック機構
５…本体（５ａは係止部）
６…蓋体（１５は凹所、１６は窓部）
【図１】
2006138155.tif 000003
【図２】
2006138155.tif 000004
【図３】
2006138155.tif 000005
【図４】
2006138155.tif 000006
【図５】
2006138155.tif 000007
【図６】
2006138155.tif 000008
【図７】
2006138155.tif 000009